【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
プロセスプラントのオペレーションをモデル化するためにコンピュータ処理デバイスにより使用されるモデル化システムであって、
コンピュータ読取可能メモリと、
前記コンピュータ読取可能メモリに格納され、かつ、中央演算処理装置で実行されたときに、プロセスプラント内の異なる物理的エンティティをモデル化するように構成された複数のモデル化ルーチンとを備え、前記複数のモデル化オブジェクトルーチンは、
プロセスプラント内の材料の流動に関連する材料の流動パラメータデータを格納するように構成されたストリームパラメータメモリを使用し、ディスプレイデバイスで材料の流動のグラフィック表示を表示するように構成された、プロセスプラント内の材料の流動に関連するストリームオブジェクトルーチンであって、材料の流動の特性の一つが、方向、圧力、密度、組成、材料タイプ又は流量を表す、ストリームオブジェクトルーチンと、
プロセスプラント内の物理的デバイスに関連するさらなるモデル化オブジェクトルーチンであって、中央演算処理装置で実行されたときに、該さらなるモデル化オブジェクトルーチンは、デバイスパラメータメモリ内の物理的デバイスに関するデバイスパラメータデータを格納し、およびディスプレイデバイス上で物理的デバイスのデバイスグラフィック表示を表示するように構成された、モデル化オブジェクトルーチンと
を有する、モデル化システム。
【請求項２】
さらに、前記ストリームオブジェクトルーチンは、ストリームオブジェクトルーチンがさらなるモデル化オブジェクトルーチンに通信可能に接続されるように定義される接続仕様を有する、請求項１に記載のモデル化システム。
【請求項３】
前記さらなるモデル化オブジェクトルーチンは、前記プロセスプラント内に配置されるフィールドデバイス及び前記プロセスプラント内に配置される材料輸送デバイスの一つをモデル化するように動作する、請求項２に記載のモデル化システム。
【請求項４】
前記接続仕様は、材料の流動をモデル化するために、ストリームオブジェクトルーチンが通信可能に接続され得るさらなるモデル化オブジェクトルーチンのタイプの仕様を有する、請求項２に記載のモデル化システム。
【請求項５】
前記さらなるモデル化オブジェクトルーチンのタイプの仕様は、ダクト、パイプ及びコンベヤに関連するモデル化オブジェクトルーチンの内の一つを指示し、
前記さらなるモデル化オブジェクトルーチンは、物理的ダクト、物理的パイプ及び物理的コンベヤの内の一つのオペレーションをモデル化する、請求項４に記載のモデル化システム。
【請求項６】
前記ストリームオブジェクトルーチンは、前記プロセスプラント内の材料の流動のタイプを定義するストリームパラメータメモリ内の材料の流動パラメータデータを格納するように構成され、
前記材料の流動のタイプは、液体、気体及び一つ以上の固体の組成物の内の一つである、請求項１に記載のモデル化システム。
【請求項７】
前記ストリームオブジェクトルーチンは、プロセスプラント内の材料の流動に関連する材料の組成に関するストリームパラメータメモリ内の材料の流動パラメータデータを格納するように構成されている、請求項１に記載のモデル化システム。
【請求項８】
前記ストリームオブジェクトルーチンは、さらなるモデル化オブジェクトルーチンによる材料の流動パラメータデータの通信を行う一つ以上の出力部を有する、請求項１に記載のモデル化システム。
【請求項９】
前記材料の流動パラメータデータは、さらに温度を表している、請求項１に記載のモデル化システム。
【請求項１０】
前記ストリームオブジェクトは、中央演算処理装置で実行されたとき、プロセスプラント内の材料の流動に関連する出力を生成するために材料の流動パラメータデータを使用するように構成された方法を有する、請求項１に記載のモデル化システム。
【請求項１１】
前記方法は、ユニット交換アルゴリズム、流動進路アルゴリズム、マスバランスアルゴリズム及びシミュレーションアルゴリズムの内の一つ以上を有する、請求項１０に記載のモデル化システム。
【請求項１２】
前記ストリームオブジェクトルーチンは、プロセスプラント内の材料の流動に関連する一つ以上の測定パラメータを受信し、かつ、材料の流動パラメータデータとして一つ以上の測定パラメータを格納するように構成された一つ以上の通信入力部を備えている、請求項１に記載のモデル化システム。
【請求項１３】
ユーザインターフェイスと一または複数のプロセスコントローラとを有するプロセスプラント内で利用されるプロセス制御システムエレメントであって、
前記プロセスプラント内でのプロセス制御活動を実行すべく、一または複数の前記プロセスコントローラ上で実行されるように構成された制御モジュールと、
前記ユーザインターフェイス上で前記プロセスプラントの少なくとも一部のグラフィカル表示を生成するように構成されたグラフィック表示モジュールと、
前記制御モジュールによって制御され、前記グラフィック表示モジュールに関連する前記グラフィカル表示において表示される前記プロセスプラント内の一または複数の物理デバイスの動作をシミュレーションするように構成されたプロセスシミュレーションモジュールと備え、
前記プロセスシミュレーションモジュールは、前記制御モジュールの動作中、前記プロセスシミュレーションモジュールと前記制御モジュールとの間でデータを通信すべく、前記制御モジュールに通信可能に接続されるように構成されている、プロセス制御システムエレメント
【請求項１４】
前記グラフィックディスプレイモジュールは、前記プロセスプラント内の物理デバイス間に配置された接続デバイスのタイプを示す接続エレメントを有するように構成されている、請求項１３記載のプロセス制御システムエレメント。
【請求項１５】
前記接続エレメントがパイプタイプの接続デバイスを示すように構成されている、請求項１４記載のプロセス制御システムエレメント。
【請求項１６】
前記接続エレメントがダクトタイプの接続デバイスを示すように構成されている、請求項１４記載のプロセス制御システムエレメント。
【請求項１７】
前記接続エレメントがコンベアタイプの接続デバイスを示すように構成されている、請求項１４記載のプロセス制御システムエレメント。
【請求項１８】
前記接続エレメントは、前記プロセスプラント内の前記物理デバイス間に配置された前記接続デバイスのステータスを示す接続ステータスパラメータを有するように構成されている、請求項１４記載のプロセス制御システムエレメント。
【請求項１９】
前記接続ステータスパラメータは、前記プロセスプラント内の前記物理デバイス間に配置された前記接続デバイスが、前記プロセスプラント内の前記物理デバイス間で動作可能に接続されているかまたは接続されていないかを示す状態を有するように構成されている、請求項１８記載のプロセス制御システムエレメント。
【請求項２０】
前記接続ステータスパラメータは、前記プロセスプラント内の前記物理デバイス間に配置された前記接続デバイスが動作中であるかまたは動作中ではないかを示す状態を有するように構成されている、請求項１８記載のプロセス制御システムエレメント。
【請求項２１】
前記グラフィック表示モジュールは、前記プロセスシミュレーションモジュールから一または複数のシミュレーションパラメータを受信すべく前記プロセスシミュレーションモジュールに通信可能に接続され、
前記接続エレメントは、一または複数の前記シミュレーションパラメータのうちの一つとしてシミュレーション接続ステータスを受信しかつ前記接続ステータスパラメータとして前記シミュレーション接続ステータスを表示するように構成されている、請求項１８記載のプロセス制御システムエレメント。
【請求項２２】
前記シミュレーション接続ステータスは、前記物理デバイス間に配置された前記接続デバイスが、限界状態、良好状態、または不良状態かを示すように構成されている、請求項２１記載のプロセス制御システムエレメント。
【請求項２３】
前記プロセスシミュレーションモジュールは、前記プロセスプラント内のプロセスダイナミックスをシミュレーションするように構成されたシミュレーションアルゴリズムを有するように構成されている、請求項１３記載のプロセス制御システムエレメント。
【請求項２４】
前記プロセスシミュレーションモジュールは、前記プロセスプラントの実行に関連するコストをシミュレーションするように構成されたシミュレーションアルゴリズムを有するように構成されている、請求項１３記載のプロセス制御システムエレメント。
【請求項２５】
前記プロセスシミュレーションモジュールは、前記プロセスプラント内の一または複数のエレメントの効率をシミュレーションするように構成されたシミュレーションアルゴリズムを有するように構成されている、請求項１３記載のプロセス制御システムエレメント。
【請求項２６】
前記グラフィック表示モジュールは、前記プロセスシミュレーションモジュールから一または複数のシミュレーションパラメータを受信すべく、前記プロセスシミュレーションモジュールに通信可能に接続され、
前記グラフィック表示モジュールは、一または複数の前記シミュレーションパラメータに基づいて前記グラフィカル表示内でアニメーションを生成するように構成されている、請求項１３記載のプロセス制御システムエレメント。
【請求項２７】
前記プロセスシミュレーションモジュールは、前記プロセスプラント内の第一の計算デバイスに格納され、該第一の計算デバイスにおいて実行されるように構成された第一の部分と、前記プロセスプラント内の第二の計算デバイスに格納され、該第二の計算デバイスおいて実行されるように構成された第二の部分とを有するように構成されている、請求項１３記載のプロセス制御システムエレメント。
【請求項２８】
前記プロセスシミュレーションモジュールの前記第一の部分は、外部参照を介して前記プロセスシミュレーションモジュールの前記第二の部分に通信可能に接続されるように構成されている、請求項２７記載のプロセス制御システムエレメント。
【請求項２９】
前記外部参照は、前記プロセスプラント内の材料の流動に関連するストリームエレメントであるように構成されている、請求項２８記載のプロセス制御システムエレメント。
【請求項３０】
前記ストリームエレメントは、前記プロセスプラント内の材料の流動の性質を識別する複数のパラメータを有するように構成されている、請求項２９記載のプロセス制御システムエレメント。
【請求項３１】
複数の前記パラメータは、名前パラメータ、圧力パラメータ、密度パラメータ、温度パラメータ、組成パラメータ、および流量パラメータのうちの二つ以上を有するように構成されている、請求項３０記載のプロセス制御システムエレメント。
【請求項３２】
前記制御モジュールは、前記プロセスシミュレーションモジュールからシミュレーション測定値受信し、前記プロセスプラント内のデバイスから実測値を受信するように構成されている、請求項１３記載のプロセス制御システムエレメント。
【請求項３３】
前記制御モジュールは、前記プロセスプラント内で前記制御活動を実行するために前記プロセスシミュレーションモジュールからの前記シミュレーション測定値を利用するようにさらに構成されている、請求項３２記載のプロセス制御システムエレメント。
【請求項３４】
前記制御モジュールは、前記実測値に関連するステータスが不良の場合、前記実測値の代わりに、前記プロセスシミュレーションモジュールからの前記シミュレーション測定値を自動的に利用するように構成されている、請求項３３記載のプロセス制御システムエレメント。
【請求項３５】
前記制御モジュールは、前記プロセスシミュレーションモジュールからシミュレーションパラメータを受信し、該シミュレーションパラメータを、前記プロセスプラント内で前記制御活動を実行するために利用するように構成されている、請求項１３記載のプロセス制御システムエレメント。
【請求項３６】
前記プロセスシミュレーションモジュールは、前記制御モジュールから出力を受信し、前記制御モジュールからの該出力を、前記プロセスプラントの一部の動作をシミュレーションするシミュレーション動作を実行するために利用するように構成されている、請求項１３記載のプロセス制御システムエレメント。
【請求項３７】
前記プロセスシミュレーションモジュールは、前記プロセスプラント内の材料の流動を表現するストリームエレメントと、該ストリームエレメントに対する前記プロセスプラント内の物理デバイスの影響をシミュレーションするシミュレーションエレメントとを有するように構成されている、請求項１３記載のプロセス制御システムエレメント。
【請求項３８】
前記シミュレーションエレメントは、前記プロセスプラント内の前記物理デバイスの動作をモデル化するシミュレーションアルゴリズムを有するように構成されている、請求項３７記載のプロセス制御システムエレメント。
【請求項３９】
前記シミュレーションアルゴリズムは、複数の事前定義のシミュレーションアルゴリズムのうちの一つとして選択可能であるように構成されている、請求項３８記載のプロセス制御システムエレメント。
【請求項４０】
前記シミュレーションエレメントにおいて利用される事前定義のシミュレーションアルゴリズムのライブラリをさらに備えるように構成されている、請求項３９記載のプロセス制御システムエレメント。
【請求項４１】
前記シミュレーションアルゴリズムがユーザにより定義可能であるように構成されている、請求項３８記載のプロセス制御システムエレメント。
【請求項４２】
前記シミュレーションエレメントにおいて利用される前記シミュレーションアルゴリズムをユーザが定義するのを補助するように構成されたグラフィックエディタをさらに備えるように構成されている、請求項４１記載のプロセス制御システムエレメント。
【請求項４３】
前記プロセスシミュレーションモジュールは、複数の相互に接続されたシミュレーションエレメントを有し、
前記シミュレーションエレメントのうちの二つ以上が、前記プロセスプラント内の異なるデバイスの動作をシミュレーションするように構成されている、請求項１３記載のプロセス制御システムエレメント。
【請求項４４】
前記プロセスシミュレーションモジュールは、前記プロセスプラント内の材料を表現するストリームエレメントをさらに有し、
該ストリームエレメントは、前記プロセスシミュレーションモジュール内の前記シミュレーションエレメントのうちの一または複数に接続されるように構成されている、請求項４３記載のプロセス制御システムエレメント。
【請求項４５】
前記シミュレーションエレメントの各々は、前記プロセスプラント内の関連デバイスの動作をモデル化するシミュレーションアルゴリズムを有するように構成されている、請求項４３記載のプロセス制御システムエレメント。
【請求項４６】
前記シミュレーションエレメントのうちの一つに対する前記シミュレーションアルゴリズムは、複数の事前定義のアルゴリズムのうちの一つとして選択可能であるように構成されている、請求項４５記載のプロセス制御システムエレメント。
【請求項４７】
前記シミュレーションエレメントのうちの一つにおいて利用される事前設定のシミュレーションアルゴリズムのライブラリをさらに有するように構成されている、請求項４６記載のプロセス制御システムエレメント。
【請求項４８】
前記シミュレーションエレメントのうちの一つに対する前記シミュレーションアルゴリズムはユーザによる定義が可能であるように構成されている、請求項４５記載のプロセス制御システムエレメント。
【請求項４９】
前記シミュレーションエレメントのうちの一つ対する前記シミュレーションアルゴリズムをユーザが定義するのを補助するように構成されたグラフィックエディタをさらに有するように構成されている、請求項４８記載のプロセス制御システムエレメント。
【請求項５０】
前記シミュレーションエレメントに高忠実性シミュレーションパラメータを提供するために前記プロセスシミュレーションモジュールの前記シミュレーションエレメントにその一部が通信可能に接続された高忠実性シミュレーションをさらに有するように構成されている、請求項４５記載のプロセス制御システムエレメント。
【請求項５１】
前記プロセスシミュレーションモジュールは、前記シミュレーションアルゴリズムのうちの一または複数の使用と前記高忠実性シミュレーションとの間の切り替えを前記プロセスシミュレーションモジュールに行わせるように構成された、ユーザにより操作可能なスイッチを有する、請求項５０記載のプロセス制御システムエレメント。
【請求項５２】
前記プロセスシミュレーションモジュールは、前記プロセスプラントの動作を示すシミュレーションパラメータを生成しかつ該シミュレーションパラメータの数値に基づいてユーザに表示するアラームを生成するように構成されている、請求項１３記載のプロセス制御システムエレメント。
【請求項５３】
前記シミュレーションパラメータが効率パラメータであるように構成されている、請求項５２記載のプロセス制御システムエレメント。
【請求項５４】
前記シミュレーションパラメータがマスバランスパラメータであるように構成されている、請求項５２記載のプロセス制御システムエレメント。
【請求項５５】
前記シミュレーションパラメータがコストパラメータであるように構成されている、請求項５２記載のプロセス制御システムエレメント。
【請求項５６】
前記シミュレーションパラメータが蒸気状態パラメータであるように構成されている、請求項５２記載のプロセス制御システムエレメント。
【請求項５７】
前記プロセスシミュレーションモジュールは、前記プロセスプラントの動作を示すシミュレーションパラメータを生成し、前記制御モジュールからの前記プロセスプラントの動作に関連する出力パラメータを受信し、前記制御モジュールからの前記出力パラメータを前記シミュレーションパラメータと比較し、前記制御モジュールからの前記出力パラメータと前記シミュレーションパラメータとの間の比較に基づいてユーザに表示するアラームを生成するように構成されている、請求項１３記載のプロセス制御システムエレメント。